(57)【要約】【課題】ユニットの本体への装着と同時にユニットのコネクタと本体のコネクタとの接続が完了し、コネクタが搭載された基板に変形が少なく、ユニット内部の振動のコネクタへの伝達が少ない、遊技機用ユニットを提供する。【解決手段】遊技機本体に装着されて遊技機を構成するユニット５０である。このユニット５０は、遊技機本体１１へ装着されるのと同時に遊技機本体１１に設けられた受側コネクタ１４に嵌合されることにより電気信号および電力の伝達を行う差込側コネクタ５４と、差込側コネクタ５４が搭載される回路基板５６と、基板保持部材６０とを有している。基板保持部材６０は、回路基板５６より剛性が高く回路基板５６が固定される基板固定部６２と、基板固定部６２より剛性が低く基板固定部６２から伸びる複数の延在部６６を備えており、延在部６６を介して筐体５２に固定される。【選択図】  図２
2004188112.tif 000002
【特許請求の範囲】
【請求項１】
遊技機本体に装着されて遊技機を構成する遊技機用ユニットであって、
筐体と、
当該遊技機用ユニットが前記遊技機本体へ装着されるのと同時に前記遊技機本体に設けられた受側コネクタに嵌合されることにより電気信号および電力の伝達を行う差込側コネクタと、
前記差込側コネクタが搭載される回路基板と、
前記回路基板より剛性が高く前記回路基板が当該回路基板の背面の殆どの領域で接触した状態で固定される基板固定部、および、前記基板固定部より剛性が低く当該基板固定部から伸びる複数の延在部、を備える基板保持部材と、を有し、
前記基板保持部材は前記延在部を介して前記筐体に固定される、遊技機用ユニット。
【請求項２】
請求項１に記載の遊技機用ユニットであって、
前記基板固定部は、他の部分より厚く形成され縦横に伸びる肉厚部を有する、遊技機用ユニット。
【請求項３】
請求項１または２に記載の遊技機用ユニットであって、
前記筐体の一面から柱状に立設された支持部をさらに有し、
前記延在部の一端付近が前記支持部に固定されている、遊技機用ユニット。
【請求項４】
請求項１ないし３のいずれかにおいて、
前記基板固定部および前記延在部は同一の樹脂材料で形成されている、遊技機用ユニット。
【請求項５】
請求項１ないし４のいずれかにおいて、
前記延在部は、当該遊技機用ユニットが前記遊技機本体における所定の装着位置からずれる可能性のある方向とは逆方向に変形しやすい可撓性を持つ、遊技機用ユニット。
【請求項６】
請求項１ないし５のいずれかにおいて、
前記遊技機本体に設けられたガイド部材によってガイドされる被ガイド部材を前記回路基板または前記基板固定部に備える、遊技機用ユニット。
【請求項７】
請求項１ないし６のいずれかに記載の遊技機用ユニットと、遊技機本体とを有する、遊技機。
【請求項８】
遊技機用ユニットが装着されて遊技機を構成する遊技機本体であって、
筐体と、
前記遊技機用ユニットに設けられた差込側コネクタが嵌合されることにより電気信号および電力の伝達を行う受側コネクタと、
前記受側コネクタが搭載される回路基板と、
前記回路基板より剛性が高く前記回路基板の背面に配置され前記回路基板が固定される基板固定部、および、前記基板固定部より剛性が低く当該基板固定部から伸びる複数の延在部、を備える基板保持部材と、を有し、
前記基板保持部材は前記延在部を介して前記筐体に固定される、遊技機本体。
【請求項９】
請求項８に記載の遊技機本体と、遊技機用ユニットとを有する、遊技機。
【発明の詳細な説明】
【０００１】
【発明の属する技術分野】
本発明は、遊技機本体に装着されコネクタにより接続されて遊技機を構成する遊技機用ユニット、遊技機本体、および遊技機に関する。
【０００２】
【背景技術および発明が解決しようとする課題】
ホールやアーケードなどに設置される遊技機には、保守性の向上などのために本体にユニットを装着することによって遊技機として構成されるものがある。このような構成の遊技機においては、ユニットを本体に装着した後に、電気信号や電力の伝達を行うために本体とユニットとをコネクタで接続する必要がある。そのため、本体とユニットからなる遊技機の組み立てや、ユニットの本体からの取り外しにおいては、本体とユニットとの機械的な固定と、コネクタの接続という２つのステップが必要であった。
【０００３】
そこで、ユニットの本体への装着と同時に、ユニットのコネクタと本体のコネクタとの接続が完了するように構成した遊技機がある。ところが、このような遊技機においてはユニットの装着においてコネクタ同士の位置合わせ精度が十分出せないことがある。そのようにコネクタ同士の位置合わせが不十分な状態で、コネクタ同士を無理に接続しようとすると、電気的な接続に問題が発生するばかりでなく、コネクタが破損したり、コネクタが搭載された基板に変形が生じたりしてしまうことがある。コネクタが搭載された基板に変形が生じると、半田付け部分などに亀裂が入って接触不良を起こすなどさまざまな問題が生じる恐れがある。
【０００４】
また、ユニットによってはモータなどの動力部分を備えているものがあり、モータなどから振動が発生してしまうものがある。そのような振動がコネクタに及ぶと、コネクタによる電気的な接続の信頼性が時間の経過とともに急激に減少してしまう。
【０００５】
本発明は、上記のような点に鑑みてなされたものであって、その目的は、ユニットの本体への装着と同時にユニットのコネクタと本体のコネクタとの接続が完了し、コネクタが搭載された基板に変形が少なく、ユニット内部の振動のコネクタへの伝達が少ない、遊技機用ユニットおよび遊技機本体を提供することにある。
【０００６】
【課題を解決するための手段】
（１）  本発明の遊技機用ユニットは、遊技機本体に装着されて遊技機を構成する遊技機用ユニットであって、筐体と、当該遊技機用ユニットが前記遊技機本体へ装着されるのと同時に前記遊技機本体に設けられた受側コネクタに嵌合されることにより電気信号および電力の伝達を行う差込側コネクタと、前記差込側コネクタが搭載される回路基板と、前記回路基板より剛性が高く前記回路基板が当該回路基板の背面の殆どの領域で接触した状態で固定される基板固定部、および、前記基板固定部より剛性が低く当該基板固定部から伸びる複数の延在部、を備える基板保持部材と、を有し、前記基板保持部材は前記延在部を介して前記筐体に固定される。
【０００７】
本発明によれば、遊技機用ユニットの差込側コネクタは、遊技機用ユニットが遊技機本体へ装着されるのと同時に遊技機本体に設けられた受側コネクタに嵌合される。しかも、差込側コネクタが搭載される回路基板はそれより剛性が高い基板固定部に背面の殆どの領域が接触した状態で固定され、基板保持部材は基板固定部より剛性が低い複数の延在部を介して筐体に固定される。したがって、差込側コネクタに力が加わったとしても、それに伴う変形は殆ど延在部で発生し、差込側コネクタが搭載された回路基板に変形が起きにくい。その結果、回路基板の変形によって半田付け部分などに亀裂が入り接触不良を起こすなどの問題が生じる恐れが少ない。
【０００８】
また、基板固定部より剛性が低い複数の延在部を介して基板保持部材が筐体に固定されているため、ユニット内部で発生した振動が延在部において吸収され、回路基板および差込側コネクタへの振動の伝達が少ない。したがって、そのような振動が差込側コネクタに及ぶことに起因して差込側コネクタおよび受側コネクタによる電気的な接続の信頼性が経時的に急激に低下することを防止できる。
【０００９】
（２）  なお、前記基板固定部は、他の部分より厚く形成され縦横に伸びる肉厚部を有していてもよい。このように基板固定部が縦横に伸びる肉厚部を持つことによって、基板固定部の全体を厚くする場合に比べて製造のための樹脂を大幅に増やすことなく、基板固定部の剛性を高めることができる。
【００１０】
（３）  また、本発明の遊技機用ユニットは、前記筐体の一面から柱状に立設された支持部をさらに有し、前記延在部の一端付近が前記支持部に固定されていてもよい。
【００１１】
（４）  さらに、前記基板固定部および前記延在部は同一の樹脂材料で形成されていてもよい。基板固定部と延在部とを同一の樹脂材料で形成することによって、一回の射出成型で基板固定部と延在部とを製造することができる。
【００１２】
（５）  また、前記延在部は、当該遊技機用ユニットが前記遊技機本体における所定の装着位置からずれる可能性のある方向とは逆方向に変形しやすい可撓性を持っていてもよい。これによって、遊技機用ユニットの所定の装着位置からのずれを打ち消す方向に基板固定部が容易に移動することができ、基板固定部上にある差込側コネクタの位置を遊技機本体の受側コネクタの位置に容易に対応させることができる。
【００１３】
（６）  そして、本発明の遊技機用ユニットは、前記遊技機本体に設けられたガイド部材によってガイドされる被ガイド部材を前記回路基板または前記基板固定部に備えていてもよい。したがって、被ガイド部材がガイド部材によってガイドされることによって、差込側コネクタを受側コネクタに対応する位置に移動させて、差込側コネクタを受側コネクタに確実に嵌合させることができる。
【００１４】
（７）  本発明の遊技機は、前記いずれかの遊技機用ユニットと、遊技機本体とを有する。本発明の遊技機は、遊技機用ユニットの遊技機本体への装着と同時に遊技機用ユニットの差込側コネクタと遊技機本体の受側コネクタとの接続が完了するように構成され、しかも信頼性の高い遊技機となる。
【００１５】
（８）  本発明の遊技機本体は、遊技機用ユニットが装着されて遊技機を構成する遊技機本体であって、
筐体と、
前記遊技機用ユニットに設けられた差込側コネクタが嵌合されることにより電気信号および電力の伝達を行う受側コネクタと、
前記受側コネクタが搭載される回路基板と、
前記回路基板より剛性が高く前記回路基板の背面に配置され前記回路基板が固定される基板固定部、および、前記基板固定部より剛性が低く当該基板固定部から伸びる複数の延在部、を備える基板保持部材と、を有し、
前記基板保持部材は前記延在部を介して前記筐体に固定される。
【００１６】
本発明によれば、遊技機用ユニットの差込側コネクタは、遊技機用ユニットが遊技機本体へ装着されるのと同時に遊技機本体に設けられた受側コネクタに嵌合される。しかも、受側コネクタが搭載される回路基板はそれより剛性が高い基板固定部に背面の殆どの領域が接触した状態で固定され、基板保持部材は基板固定部より剛性が低い複数の延在部を介して筐体に固定される。したがって、受側コネクタに力が加わったとしても、それに伴う変形は殆ど延在部で発生し、受側コネクタが搭載された基板に変形が起きにくい。その結果、基板の変形によって半田付け部分などに亀裂が入り接触不良を起こすなどの問題が生じる恐れが少ない。
【００１７】
（９）  本発明の遊技機は前記遊技機本体と、遊技機用ユニットとを有する。本発明の遊技機は、遊技機用ユニットの遊技機本体への装着と同時に遊技機用ユニットのコネクタと遊技機本体のコネクタとの接続が完了するように構成され、しかも信頼性の高い遊技機となる。
【００１８】
【発明の実施の形態】
以下、本発明の好適な実施の形態について、図面を参照しながら、さらに具体的に説明する。
【００１９】
１．  ＜第１実施形態＞
図１は第１実施形態の遊技機であるスロットマシン１０の遊技機本体１１とユニット（遊技機用ユニット）５０とが分離された状態として示す模式的な斜視図である。本実施形態のスロットマシン１０は、遊技機本体１１にユニット５０が装着されて構成される。この装着と同時に、ユニット５０の背面に位置する差込側コネクタが、遊技機本体１１の筐体１２の内側奥に設けられた受側コネクタに嵌合されるようになっている。本実施形態におけるユニット５０はメインユニットであり、ユニット５０にはスロットマシンの動作を制御する主要な電子回路や、リールユニットなどが納められている。
【００２０】
図２は、ユニット５０の背面に設けられた差込側コネクタ５４およびその周囲と、遊技機本体１１の筐体１２の内側奥に設けられた受側コネクタ１４およびそれが取り付けられた回路基板１６を示す模式的な斜視図である。この図に示すように、ユニット５０は、筐体５２と、差込側コネクタ５４と、回路基板５６と、基板保持部材６０と、被ガイド部材６４を備えて構成される。
【００２１】
差込側コネクタ５４は、ユニット５０が遊技機本体１１へ装着されるのと同時に遊技機本体１１に設けられた受側コネクタ１４に嵌合されることにより、電気信号および電力の伝達を行う。回路基板５６には、差込側コネクタ５４が搭載されるとともに、必要な電子回路が形成されている。
【００２２】
基板保持部材６０は、基板固定部６２および延在部６６を備えて構成されている。基板固定部６２は、回路基板５６より剛性が高く、回路基板５６が回路基板５６の背面の殆どの領域で接触した状態で固定される。延在部６６は、基板固定部６２から延在して形成され、４つ設けられている。延在部６６は、基板固定部６２より剛性が低くなるように形成されている。基板保持部材６０は延在部６６を介して筐体５２に固定される。さらに具体的には、筐体５２の一面には柱状に立設された複数の支持部７０が設けられており、延在部６６の一端付近が支持部７０に固定されることによって、基板保持部材６０が筐体５２に固定されている。
【００２３】
なお、基板保持部材６０の構成部分である基板固定部６２および延在部６６は同一の樹脂材料で形成されている。このように基板固定部６２と延在部６６とを同一の樹脂材料で形成することによって、一回の射出成型で基板固定部６２と延在部６６とを製造することができる。基板固定部６２および延在部６６は、例えばポリアセタール（ＰＯＭ）樹脂またはアクリロニトリル・ブタジエン・スチレン（ＡＢＳ）樹脂で形成されている。ポリアセタール樹脂はＡＢＳ樹脂などより柔軟で耐久性があるため、延在部６６をポリアセタール（ＰＯＭ）樹脂で形成することによって、ユニット５０の出し入れのたびに変形を繰り返す可能性のある延在部６６に高い耐久性を持たせることができる。なお、基板固定部６２および延在部６６は互いに異なる樹脂材料で形成してもよい。
【００２４】
なお、ユニット５０は前述したように基板保持部材６０または回路基板５６に設けられた被ガイド部材６４を備えている。また、遊技機本体１１は、例えば図２に示したように回路基板１６に立設されたガイド部材１８を備えている。なお、ガイド部材１８は遊技機本体１１の筐体１２から直に立設するように形成してもよい。ガイド部材１８は、例えば図３に示したように、ガイド面１９を備えており、基板保持部材６０に設けられた被ガイド部材６４が矢印の方向に移動する（ユニット５０が完全に装着される）につれて、被ガイド部材６４がガイド部材１８に対して所定の位置になるようにガイドする。これによって、差込側コネクタ５４が受側コネクタ１４に対応する所定位置に移動することになり、差込側コネクタ５４を受側コネクタ１４に確実に嵌合させることが可能となる。
【００２５】
図４（Ａ）および（Ｂ）は基板保持部材６０、回路基板５６、および支持部７０を模式的に示す部分側面図である。基板保持部材６０の延在部６６は、これらの図で鎖線として示したように変形しやすく形成されている。図４（Ａ）で示したような変形により基板保持部材６０が移動する方向は、ユニット５０が遊技機本体１１での所定の装着位置からずれる可能性のある方向とは逆方向となり得るようになっている。すなわち、ユニット５０は所定の装着位置から若干側方にずれて装着される可能性があるが、そのようなユニット５０の所定の装着位置からの側方へのずれを打ち消す方向に基板固定部６２が延在部６６の可撓性によって容易に移動することができる。したがって、基板固定部６２上にある差込側コネクタ５４の位置を遊技機本体１１の受側コネクタ１４の位置に容易に合わせることができる。
【００２６】
また、図４（Ｂ）で示したように基板保持部材６０の延在部６６が変形することによって、ユニット５０の挿入時などに受側コネクタ１４と差込側コネクタ５４とが衝突してしまった場合などの衝撃を吸収することもできる。
【００２７】
図５は基板保持部材６０の部分底面図である。この図に示すように、基板保持部材６０の基板固定部６２は、その底面に他の部分より厚く形成され縦横に伸びる肉厚部６３を備えている。肉厚部６３は、例えば、図４に示したような厚さを有する。このように基板固定部６２が縦横に伸びる肉厚部６３を持つことによって、基板固定部６２の全体を厚くする場合に比べて製造のための樹脂を大幅に増やすことなく、基板固定部６２の剛性を高めることができる。
【００２８】
以上のように、本実施形態によれば、ユニット５０に設けられた差込側コネクタ５４は、ユニット５０が遊技機本体１１へ装着されるのと同時に遊技機本体１１に設けられた受側コネクタ１４に嵌合される。しかも、差込側コネクタ５４が搭載される回路基板５６はそれより剛性が高い基板固定部６２に背面の殆どの領域が接触した状態で固定され、基板保持部材６０は基板固定部６２より剛性が低い複数の延在部６６を介して筐体５２に固定される。したがって、差込側コネクタ５４に力が加わったとしても、それに伴う変形は殆ど延在部６６で発生し、差込側コネクタ５４が搭載された回路基板５６に変形が起きにくい。その結果、回路基板５６の変形によって半田付け部分などに亀裂が入り接触不良を起こすなどの問題が生じる恐れが少ない。
【００２９】
また、基板固定部６２より剛性が低い複数の延在部６６を介して基板保持部材６０が筐体５２に固定されているため、ユニット５０内部で発生した振動が延在部６６において吸収され、回路基板５６および差込側コネクタ５４への振動の伝達が少ない。したがって、そのような振動が差込側コネクタ５４に及ぶことに起因して差込側コネクタ５４と受側コネクタ１４との間の電気的な接続の信頼性が経時的に急激に低下することを防止できる。
【００３０】
また、本実施形態の遊技機としてのスロットマシン１０は、５０ユニットの遊技機本体１１への装着と同時にユニット５０の差込側コネクタ５４と遊技機本体のコネクタとの接続が完了するように構成されていながら、上述のような構造によって高い信頼性が得られる。
【００３１】
２．  ＜第２実施形態＞
第２実施形態の遊技機は受側コネクタおよび差込側コネクタがそれぞれ複数ある点と、受側コネクタ、差込側コネクタ、回路基板、および基板保持部材の形状が第１実施形態におけるそれぞれとは異なる点が第１実施形態の遊技機とは異なる。それ以外の点においては第２実施形態の遊技機は第１実施形態の遊技機と同様であり、その説明を省略する。また、図面において第１実施形態の各部に対応する各部には、第１実施形態と同一の符号を付す。
【００３２】
図６は、ユニット５０の背面に設けられた差込側コネクタ８４およびその背面に位置する各部と、遊技機本体１１の筐体１２の内側奥に設けられた受側コネクタ７４およびそれが取り付けられた回路基板７６とを示す分解斜視図である。この図に示すように、差込側コネクタ８４の背面には、差込側コネクタ８４が固定される回路基板８６と、回路基板８６が固定される基板保持部材９０と、基板保持部材９０が固定される外部カバー部９８とが位置する。図７は、差込側コネクタ８４の背面側に位置する各部が組み立てられ、差込側コネクタ８４が受側コネクタ７４に嵌合された状態を示す斜視図である。また、図８は図６とは逆の側から見た状態を示す分解斜視図であり、図９は差込側コネクタ８４の背面側に位置する各部が組み立てられ、差込側コネクタ８４が受側コネクタ７４に嵌合された状態を図８と同じ側から見た状態を示す斜視図である。
【００３３】
なお、図６〜図９の各図では回路基板７６が透明ではない例を示した。しかしながら、回路基板７６としてほぼ透明な材料を用いるようにしてもよい。回路基板７６としてほぼ透明な材料を用いることによって、不正行為などによってコネクタ７４背面や回路基板７６上に導電性材料が付加されたり、回路に変更が加えられたりした場合などの発見を容易に行うことが可能となる。
【００３４】
差込側コネクタ８４は、ユニット５０が遊技機本体１１へ装着されるのと同時に遊技機本体１１に設けられた受側コネクタ７４に嵌合されることにより、電気信号および電力の伝達を行う。回路基板８６には、差込側コネクタ８４が搭載されるとともに、必要な電子回路が形成されている。
【００３５】
基板保持部材９０は、基板固定部９２および延在部９６を備えて構成されている。基板固定部９２は、回路基板８６より剛性が高く、回路基板８６が回路基板８６の背面の殆どの領域で接触した状態で固定される。延在部９６は、基板固定部９２から延在して形成されている。延在部９６は、基板固定部９２より剛性が低くなるように形成されている。基板保持部材９０は延在部９６を介して外部カバー部９８に固定され、外部カバー部９８は筐体１２に固定される。
【００３６】
以上のように、本実施形態においても、第１実施形態の遊技機としてのスロットマシンについて記載したのと同様な作用効果を奏することができる。
【００３７】
３．  ＜変形例＞
３．１  前述した実施形態においては、可撓性の延在部を介して筐体に固定される基板保持部材に、ユニットの差込側コネクタが搭載された回路基板が固定されている例を示した。しかしながら、これとは逆に、可撓性の延在部を介して筐体に固定される基板保持部材に、遊技機本体の受側コネクタが搭載された回路基板が固定されるようにしてもよい。
【００３８】
この場合、遊技機本体は、ユニットが装着されて遊技機としてのスロットマシンを構成する遊技機本体であり、筐体と、受け側コネクタと、回路基板と、基板保持部材とを備えて構成される。そして、受側コネクタは、ユニットに設けられた差込側コネクタが嵌合されることにより電気信号および電力の伝達を行う。回路基板には受側コネクタが搭載される。基板保持部材は、回路基板より剛性が高く回路基板の背面に配置され回路基板が固定される基板固定部と、基板固定部より剛性が低く基板固定部から伸びる複数の延在部とを備える構成される。そして、基板保持部材は延在部を介して遊技機本体の筐体に固定される。
【００３９】
この変形例においては、ユニットの差込側コネクタは、ユニットが遊技機本体へ装着されるのと同時に遊技機本体に設けられた受側コネクタに嵌合される。しかも、受側コネクタが搭載される回路基板はそれより剛性が高い基板固定部に背面の殆どの領域が接触した状態で固定され、基板保持部材は基板固定部より剛性が低い複数の延在部を介して筐体に固定される。したがって、受側コネクタに力が加わったとしても、それに伴う変形は殆ど延在部で発生し、受側コネクタが搭載された基板に変形が起きにくい。その結果、基板の変形によって半田付け部分などに亀裂が入り接触不良を起こすなどの問題が生じる恐れが少ない。
【００４０】
３．２  また、基板保持部材の形状は前述した実施形態の形状に限定されない。例えば、図１０に平面図として示したように、延在部６６がそれぞれ異なる方向に向くように設けられた基板保持部材６１であってもよい。このような構成によって、基板固定部がさまざまな方向に移動可能となる。
【００４１】
３．３  また、上記実施形態においては、延在部が可撓性を備えていることによって基板固定部の位置が微妙に移動可能となっていたが、図２に示した支持部７０を可撓性の材料を用いて形成することによって基板固定部の位置が筐体５２に対して移動可能となるようにしてもよい。この場合、差込側コネクタと受側コネクタとの嵌合の際にそれらが嵌合するのに十分な力が及ぶように、支持部７０はその高さ方向には殆ど変形しないことが好ましい。
【００４２】
３．４  前述した実施形態においては、遊技機本体に装着されるユニットとして、主要電子回路およびリールユニットが納められたメインユニットの例を示した。しかしながら、本発明が適用されるユニットとしては、液晶表示ユニット、ホッパ（メダル送出装置）ユニット、リールユニットなど、遊技機を構成するいかなるユニットであってもよい。
【００４３】
３．５  前述した実施形態では、延在部が支持部を介して筐体に固定される例を示したが、延在部が直接筐体に固定されるように構成してもよい。
【００４４】
３．６  前述した実施形態では遊技機としてスロットマシンの例を示したが、遊技機としてはパチンコ機、テレビゲーム機などいかなる遊技機であってもよい。
【００４５】
３．７  前述した実施形態ではユニットに一つの差込側コネクタが設けられ、遊技機本体に一つの受側コネクタが設けられた例を示した。しかしながら、ユニットに複数の差込側コネクタを設け、それに対応して遊技機本体に複数の受側コネクタが設け、それぞれの差込側コネクタに対応させて本発明を適用してもよい。
【００４６】
３．８  本発明は前述した各実施形態に限定されるものではなく、本発明の要旨の範囲内、または、特許請求の範囲の均等範囲内で、各種の変形実施が可能である。
【図面の簡単な説明】
【図１】実施形態の遊技機であるスロットマシンの遊技機本体とユニットとが分離された状態として示す模式的な斜視図である。
【図２】ユニットの背面に設けられた差込側コネクタおよびその周囲と、遊技機本体の筐体の内側奥に設けられた受側コネクタおよびそれが取り付けられた回路基板を示す模式的な斜視図である。
【図３】ガイド部材と被ガイド部材の作用を説明する部分側面図である。
【図４】（Ａ）および（Ｂ）は、基板保持部材、回路基板および支持部を模式的に示す部分側面図である。
【図５】基板保持部材の部分底面図である。
【図６】ユニットの背面に設けられた差込側コネクタおよびその背面に位置する各部と、受側コネクタおよびそれが取り付けられた回路基板とを示す分解斜視図である。
【図７】差込側コネクタの背面側に位置する各部が組み立てられ、差込側コネクタが受側コネクタに嵌合された状態を示す斜視図である。
【図８】図６とは逆の側から見た状態を示す分解斜視図である。
【図９】図７とは逆の側から見た状態を示す斜視図であ
【図１０】変形例の基板保持部材の平面図である。
【符号の説明】
１０  スロットマシン（遊技機）
１１  遊技機本体
１２  筐体
１４，７４  受側コネクタ
１８，７８  ガイド部材
５０  （遊技機用）ユニット
５２  筐体
５４，８４  差込側コネクタ
５６，８６  回路基板
６０，９０  基板保持部材
６３  肉厚部
６４，９４  被ガイド部材
６６，９６  延在部
７０  支持部
９８  外部カバー部
【図１】
2004188112.tif 000003
【図２】
2004188112.tif 000004
【図３】
2004188112.tif 000005
【図４】
2004188112.tif 000006
【図５】
2004188112.tif 000007
【図６】
2004188112.tif 000008
【図７】
2004188112.tif 000009
【図８】
2004188112.tif 000010
【図９】
2004188112.tif 000011
【図１０】
2004188112.tif 000012